(57)【特許請求の範囲】
【請求項１】
所望の番組の各スライドの構成要素となるウェブコンテンツを番組の運用者の作成したシナリオ情報に応じてウェブサーバから取得するコンテンツ取得ステップと、
前記シナリオ情報に含まれるアクセスタイプに応じて、前記コンテンツ取得ステップで取得された前記番組の各スライドの構成要素を所望の前記番組の各スライドとして編集し、運用者の設定した編成情報に従って各番組の表示順及び表示開始時刻の編成を行うコンテンツ編集ステップと、
前記編成情報で設定された表示開始時刻に、アクセスタイプがｐｕｂｌｉｃのユーザ端末にはユーザ端末に共通の番組を提供し、アクセスタイプがｌｏｃａｌのユーザ端末には地域を含むユーザの所属グループ別の番組を提供し、アクセスタイプがｐｒｉｖａｔｅのユーザ端末にはユーザ別の番組を提供する番組提供ステップと、
を順に備えることを特徴とするコンテンツ番組提供方法。
【請求項２】
ウェブコンテンツをウェブサーバから取得するコンテンツ取得ステップと、
取得された前記ウェブコンテンツを番組に編集するコンテンツ編集ステップと、
編集された前記番組をユーザ端末に提供する番組提供ステップと、
前記ユーザ端末への要求の入力に応じて、提供された前記番組の各スライドに紐付けられた各ウェブコンテンツの位置情報を利用して、各ウェブコンテンツを前記ウェブサーバから取得するコンテンツ再取得ステップと、
を順に備えることを特徴とするコンテンツ番組提供方法。
【請求項３】
ウェブコンテンツをウェブサーバから取得するコンテンツ取得ステップと、
取得された前記ウェブコンテンツを番組に編集するコンテンツ編集ステップと、
編集された前記番組をユーザ端末に提供する番組提供ステップと、
前記ユーザ端末への要求の入力に応じて、提供された前記番組の各スライドに紐付けられた各ウェブコンテンツの位置情報を保存した後に、前記ユーザ端末への要求の入力に応じて、保存した各ウェブコンテンツの位置情報を利用して、各ウェブコンテンツを前記ウェブサーバから取得するコンテンツ再取得ステップと、
を順に備えることを特徴とするコンテンツ番組提供方法。
【請求項４】
前記番組提供ステップにおいて番組を提供するに際し、前記編成情報で設定された提供時刻に、前記コンテンツ編集ステップで編集された番組を取得する、
ことを特徴とする請求項１から３のいずれかに記載のコンテンツ番組提供方法。
【請求項５】
前記番組提供ステップでは、前記ユーザ端末のユーザや関係者に応じて、前記ユーザ端末に提供する前記番組の前記ユーザ端末における表示形式をカスタマイズする
ことを特徴とする請求項１から４のいずれかに記載のコンテンツ番組提供方法。
【請求項６】
所望の番組の各スライドの構成要素となるウェブコンテンツを番組の運用者の作成したシナリオ情報に応じてウェブサーバから取得するコンテンツ取得部と、
前記シナリオ情報に含まれるアクセスタイプに応じて、前記コンテンツ取得部で取得された前記番組の各スライドの構成要素を所望の前記番組の各スライドとして編集し、運用者の設定した編成情報に従って各番組の表示順及び表示開始時刻の編成を行うコンテンツ編集部と、
前記編成情報で設定された表示開始時刻に、アクセスタイプがｐｕｂｌｉｃのユーザ端末にはユーザ端末に共通の番組を提供し、アクセスタイプがｌｏｃａｌのユーザ端末には地域を含むユーザの所属グループ別の番組を提供し、アクセスタイプがｐｒｉｖａｔｅのユーザ端末にはユーザ別の番組を提供する番組提供部と、
を備えることを特徴とするコンテンツ番組提供装置。
【請求項７】
ウェブコンテンツをウェブサーバから取得するコンテンツ取得部と、
取得された前記ウェブコンテンツを番組に編集するコンテンツ編集部と、
編集された前記番組をユーザ端末に提供する番組提供部と、
前記ユーザ端末への要求の入力に応じて、提供された前記番組の各スライドに紐付けられた各ウェブコンテンツの位置情報を利用して、各ウェブコンテンツを前記ウェブサーバから取得するコンテンツ再取得部と、
を備えることを特徴とするコンテンツ番組提供装置。
【請求項８】
ウェブコンテンツをウェブサーバから取得するコンテンツ取得部と、
取得された前記ウェブコンテンツを番組に編集するコンテンツ編集部と、
編集された前記番組をユーザ端末に提供する番組提供部と、
前記ユーザ端末への要求の入力に応じて、提供された前記番組の各スライドに紐付けられた各ウェブコンテンツの位置情報を保存した後に、前記ユーザ端末への要求の入力に応じて、保存した各ウェブコンテンツの位置情報を利用して、各ウェブコンテンツを前記ウェブサーバから取得するコンテンツ再取得部と、
を備えることを特徴とするコンテンツ番組提供装置。
【発明の詳細な説明】
【技術分野】
【０００１】
本発明は、ウェブコンテンツをユーザに提供する技術に関する。
【背景技術】
【０００２】
非特許文献１のインターネットテレビでは、テレビ受信機に非特許文献２のウェブブラウザの機能が付加され、テレビ受信機を用いてテレビ番組を視聴することができるとともに、ウェブブラウザの機能を用いてウェブコンテンツにアクセスすることができる。
【先行技術文献】
【非特許文献】
【０００３】
【非特許文献１】“インターネットテレビ”、［ｏｎｌｉｎｅ］、Ｗｉｋｉｐｅｄｉａ、［平成２５年８月２７日検索］、インターネット＜ＵＲＬ：ｈｔｔｐ：／／ｊａ．ｗｉｋｉｐｅｄｉａ．ｏｒｇ／ｗｉｋｉ／％Ｅ３％８２％Ａ４％Ｅ３％８３％Ｂ３％Ｅ３％８２％ＢＦ％Ｅ３％８３％ＢＣ％Ｅ３％８３％８Ｄ％Ｅ３％８３％８３％Ｅ３％８３％８８％Ｅ３％８３％８６％Ｅ３％８３％ＡＣ％Ｅ３％８３％９３＞
【非特許文献２】“ウェブブラウザ”、［ｏｎｌｉｎｅ］、Ｗｉｋｉｐｅｄｉａ、［平成２５年８月２７日検索］、インターネット＜ＵＲＬ：ｈｔｔｐｓ：／／ｊａ．ｗｉｋｉｐｅｄｉａ．ｏｒｇ／ｗｉｋｉ／％Ｅ３％８２％Ａ６％Ｅ３％８２％Ａ７％Ｅ３％８３％９６％Ｅ３％８３％９６％Ｅ３％８３％Ａ９％Ｅ３％８２％Ａ６％Ｅ３％８２％Ｂ６＞
【非特許文献３】“エッジコンピューティング技術”、［ｏｎｌｉｎｅ］、ＮＴＴ  Ｒ＆Ｄ  ＦＯＲＵＭ  ２０１３、［平成２５年８月２７日検索］、インターネット＜ＵＲＬ：ｈｔｔｐ／／ｌａｂｅｖｅｎｔ．ｅｃｌ．ｎｔｔ．ｃｏ．ｊｐ／ｆｏｒｕｍ２０１３／ｅｌｅｍｅｎｔｓ／ｐｄｆ＿ｊｐｎ／Ｊ−２．ｐｄｆ＞
【発明の概要】
【発明が解決しようとする課題】
【０００４】
しかし、インターネットテレビでは、ウェブコンテンツにアクセスするためには、能動的にアクションを起こす必要があり、テレビのリモコンを常時操作する必要があり、よって、利便性が低かった。そして、インターネットテレビでは、ウェブコンテンツにアクセスするためには、所望のコンテンツに関わる情報を検索・入力する必要があり、よって、検索のリテラシーやコンテンツの配置場所に対する事前知識が乏しいユーザにとって、利便性が低かった。さらに、インターネットテレビでは、各ユーザが異なる情報を異なる時間帯で閲覧しているため、ユーザ同士が共通の知識を同じ時間帯で得ることが難しかった。
【０００５】
そこで、前記課題を解決するために、本発明は、インターネットテレビにおいて、ユーザの煩雑な操作や高度な知識を必要とせず、ウェブコンテンツをユーザに提供するとともに、共通のウェブコンテンツを同じ時間帯でユーザ同士で共有させることを目的とする。
【課題を解決するための手段】
【０００６】
上記目的を達成するために、ウェブコンテンツを番組の形式でつまりスライドショーの形式で編集・提供して、ユーザが受動的に流し見で視聴することを可能とした。
【０００７】
具体的には、本発明は、所望の番組の各スライドの構成要素となるウェブコンテンツを番組の運用者の作成したシナリオ情報に応じてウェブサーバから取得するコンテンツ取得ステップと、前記シナリオ情報に含まれるアクセスタイプに応じて、前記コンテンツ取得ステップで取得された前記番組の各スライドの構成要素を所望の前記番組の各スライドとして編集し、運用者の設定した編成情報に従って各番組の表示順及び表示開始時刻の編成を行うコンテンツ編集ステップと、前記編成情報で設定された表示開始時刻に、アクセスタイプがｐｕｂｌｉｃのユーザ端末にはユーザ端末に共通の番組を提供し、アクセスタイプがｌｏｃａｌのユーザ端末には地域を含むユーザの所属グループ別の番組を提供し、アクセスタイプがｐｒｉｖａｔｅのユーザ端末にはユーザ別の番組を提供する番組提供ステップと、を順に備えることを特徴とするコンテンツ番組提供方法である。
【０００８】
また、本発明は、所望の番組の各スライドの構成要素となるウェブコンテンツを番組の運用者の作成したシナリオ情報に応じてウェブサーバから取得するコンテンツ取得部と、前記シナリオ情報に含まれるアクセスタイプに応じて、前記コンテンツ取得部で取得された前記番組の各スライドの構成要素を所望の前記番組の各スライドとして編集し、運用者の設定した編成情報に従って各番組の表示順及び表示開始時刻の編成を行うコンテンツ編集部と、前記編成情報で設定された表示開始時刻に、アクセスタイプがｐｕｂｌｉｃのユーザ端末にはユーザ端末に共通の番組を提供し、アクセスタイプがｌｏｃａｌのユーザ端末には地域を含むユーザの所属グループ別の番組を提供し、アクセスタイプがｐｒｉｖａｔｅのユーザ端末にはユーザ別の番組を提供する番組提供部と、を備えることを特徴とするコンテンツ番組提供装置である。
【０００９】
この構成によれば、インターネットテレビにおいて、ユーザの煩雑な操作や高度な知識を必要とせず、ウェブコンテンツをユーザに提供することができる。
【００１０】
また、本発明は、前記コンテンツ取得ステップでは、所望の前記番組の各スライドの構成要素を所望の前記ウェブサーバから取得し、前記コンテンツ編集ステップでは、取得された前記番組の各スライドの提供時間及び提供順序並びに編集した前記番組の提供時刻を設定し、取得された所望の前記番組の各スライドの構成要素を、所望の前記番組の各スライドとして編集し、前記番組提供ステップでは、設定された前記番組の各スライドの提供時間及び提供順序並びに設定された前記番組の提供時刻に基づいて、編集された前記番組の各スライドを前記ユーザ端末に提供することを特徴とするコンテンツ番組提供方法である。
【００１１】
この構成によれば、ウェブコンテンツを番組の形式でつまりスライドショーの形式で編集・提供して、ユーザが受動的に流し見で視聴することを可能とする。なお、コンテンツ取得ステップ及びコンテンツ編集ステップは、番組の運用者の要求、ユーザの要求、関係者の要求、及び、過去の閲覧履歴等に応じて、実行されればよい。
【００１２】
また、本発明は、前記番組提供ステップでは、編集された前記番組を所定の時刻に一斉に複数の前記ユーザ端末に提供することを特徴とするコンテンツ番組提供方法である。
【００１３】
この構成によれば、インターネットテレビにおいて、ユーザの煩雑な操作や高度な知識を必要とせず、共通のウェブコンテンツを同じ時間帯でユーザ同士で共有させることができる。
【００１４】
また、本発明は、ウェブコンテンツをウェブサーバから取得するコンテンツ取得ステップと、取得された前記ウェブコンテンツを番組に編集するコンテンツ編集ステップと、編集された前記番組をユーザ端末に提供する番組提供ステップと、前記ユーザ端末への要求の入力に応じて、提供された前記番組の各スライドに紐付けられた各ウェブコンテンツの位置情報を利用して、各ウェブコンテンツを前記ウェブサーバから取得するコンテンツ再取得ステップと、を順に備えることを特徴とするコンテンツ番組提供方法である。
また、本発明は、ウェブコンテンツをウェブサーバから取得するコンテンツ取得部と、取得された前記ウェブコンテンツを番組に編集するコンテンツ編集部と、編集された前記番組をユーザ端末に提供する番組提供部と、前記ユーザ端末への要求の入力に応じて、提供された前記番組の各スライドに紐付けられた各ウェブコンテンツの位置情報を利用して、各ウェブコンテンツを前記ウェブサーバから取得するコンテンツ再取得部と、を備えることを特徴とするコンテンツ番組提供装置である。
【００１５】
この構成によれば、ユーザや関係者は、ある番組の各スライドに興味を持ったならば、その番組の各スライドに紐付けられているコンテンツの位置情報（例えば、ＵＲＬ：Ｕｎｉｆｏｒｍ  Ｒｅｓｏｕｒｃｅ  Ｌｏｃａｔｏｒ）を用いて、受動的にその番組の各スライドを流し見するだけでなく、能動的にそのコンテンツにアクセスするきっかけを得ることができる。
【００１６】
また、本発明は、ウェブコンテンツをウェブサーバから取得するコンテンツ取得ステップと、取得された前記ウェブコンテンツを番組に編集するコンテンツ編集ステップと、編集された前記番組をユーザ端末に提供する番組提供ステップと、前記ユーザ端末への要求の入力に応じて、提供された前記番組の各スライドに紐付けられた各ウェブコンテンツの位置情報を保存した後に、前記ユーザ端末への要求の入力に応じて、保存した各ウェブコンテンツの位置情報を利用して、各ウェブコンテンツを前記ウェブサーバから取得するコンテンツ再取得ステップと、を順に備えることを特徴とするコンテンツ番組提供方法である。
また、本発明は、ウェブコンテンツをウェブサーバから取得するコンテンツ取得部と、取得された前記ウェブコンテンツを番組に編集するコンテンツ編集部と、編集された前記番組をユーザ端末に提供する番組提供部と、前記ユーザ端末への要求の入力に応じて、提供された前記番組の各スライドに紐付けられた各ウェブコンテンツの位置情報を保存した後に、前記ユーザ端末への要求の入力に応じて、保存した各ウェブコンテンツの位置情報を利用して、各ウェブコンテンツを前記ウェブサーバから取得するコンテンツ再取得部と、を備えることを特徴とするコンテンツ番組提供装置である。
【００１７】
この構成によれば、ユーザや関係者は、ある番組の各スライドに興味を持ったならば、その番組の各スライドに紐付けられているコンテンツの位置情報（例えば、ＵＲＬ）を保存して、保存したそのコンテンツの位置情報を用いて、受動的にその番組の各スライドを流し見するだけでなく、能動的に繰り返しそのコンテンツにアクセスするきっかけを得ることができる。
【００１８】
また、本発明は、前記番組提供ステップにおいて番組を提供するに際し、前記編成情報で設定された提供時刻に、前記コンテンツ編集ステップで編集された番組を取得する、ことを特徴とするコンテンツ番組提供方法である。
【００１９】
この構成によれば、例えば、ユーザや関係者の事前登録（例えば、ユーザの現在位置の情報及びユーザのよく行く場所の情報）、状況（例えば、ユーザ本人の遷移履歴、並びに、ユーザが所属するグループ又はＳＮＳ等で繋がりのある人の遷移履歴）や関心に応じて、番組の構成要素及び／又は提供時間をカスタマイズすることができる。
【００２０】
また、本発明は、前記番組提供ステップでは、前記ユーザ端末のユーザや関係者に応じて、前記ユーザ端末に提供する前記番組の前記ユーザ端末における表示形式をカスタマイズすることを特徴とするコンテンツ番組提供方法である。
【００２１】
この構成によれば、例えば、ユーザや関係者の状況（例えば、ユーザ本人の遷移履歴、並びに、ユーザが所属するグループ又はＳＮＳ等で繋がりのある人の遷移履歴）や関心、事前登録（例えば、ユーザの現在位置の情報及びユーザのよく行く場所の情報）、ユーザ端末への操作に応じて、番組のユーザ端末における表示形式をカスタマイズすることができる。
【発明の効果】
【００２２】
本発明は、インターネットテレビにおいて、ユーザの煩雑な操作や高度な知識を必要とせず、ウェブコンテンツをユーザに提供するとともに、共通のウェブコンテンツを同じ時間帯でユーザ同士で共有させることができる。
【図面の簡単な説明】
【００２３】
【図１】本発明のコンテンツ番組の提供方法を示す図である。
【図２】本発明のコンテンツ番組の提供装置及び提供方法を示す図である。
【図３】本発明のコンテンツ番組の提供装置及び提供方法を示す図である。
【図４】本発明のコンテンツ番組の提供装置及び編集方法を示す図である。
【図５】本発明の要素データファイルの作成方法を示すタイムチャートである。
【図６】本発明のシナリオ情報の内容を示す図である。
【図７】本発明のクロール設定の内容を示す図である。
【図８】本発明の要素データファイルの内容を示す図である。
【図９】本発明の編成データファイルの作成方法を示すタイムチャートである。
【図１０】本発明の編成情報の内容を示す図である。
【図１１】本発明の編成データファイルの内容を示す図である。
【図１２】本発明のコンテンツ番組の提供方法を示すタイムチャートである。
【図１３】本発明のチャンネル画面を示す図である。
【図１４】本発明のインターネット画面への遷移を示す図である。
【図１５】本発明のリスト画面への遷移を示す図である。
【図１６】本発明の番組表の詳細表示を示す図である。
【図１７】本発明の天気予報の詳細表示を示す図である。
【図１８】本発明のスライドの変更表示を示す図である。
【発明を実施するための形態】
【００２４】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００２５】
本発明のコンテンツ番組の提供方法を図１に示す。最初に、ＨＴＭＬコンテンツＨ１−１〜Ｈ１−３、・・・、Ｈ４−１〜Ｈ４−３を、ウェブサーバ１−１〜１−４から取得する。次に、取得されたＨ１−１〜Ｈ１−３、・・・、Ｈ４−１〜Ｈ４−３を、ＨＴＭＬ番組Ｐ１、Ｐ２、Ｐ３、Ｐ４に編集する。最後に、編集されたＨＴＭＬ番組Ｐ１、Ｐ２、Ｐ３、Ｐ４を、ユーザ端末に提供する。このように、ＨＴＭＬコンテンツＨをＨＴＭＬ番組Ｐの形式でつまりスライドショーの形式で編集・提供して、ユーザが受動的に流し見で視聴することを可能とする。コンテンツ番組の提供方法について、以下に詳細を説明する。
【００２６】
最初に、所望のＨＴＭＬ番組Ｐの各スライド（ＨＴＭＬコンテンツＨ）の構成要素を、所望のウェブサーバ１から取得する。次に、取得されたＨＴＭＬ番組Ｐの各スライド（ＨＴＭＬコンテンツＨ）の提供時間及び提供順序並びに編集したＨＴＭＬ番組Ｐの提供時刻を設定する。また、取得された所望のＨＴＭＬ番組Ｐの各スライド（ＨＴＭＬコンテンツＨ）の構成要素を、所望のＨＴＭＬ番組Ｐの各スライド（ＨＴＭＬコンテンツＨ）として編集する。最後に、設定されたＨＴＭＬ番組Ｐの各スライド（ＨＴＭＬコンテンツＨ）の提供時間及び提供順序並びに設定されたＨＴＭＬ番組Ｐの提供時刻に基づいて、編集されたＨＴＭＬ番組Ｐの各スライド（ＨＴＭＬコンテンツＨ）をユーザ端末に提供する。なお、コンテンツ取得ステップ及びコンテンツ編集ステップは、番組の運用者の要求、ユーザの要求、関係者の要求、及び、過去の閲覧履歴等に応じて、実行されればよい。
【００２７】
図１では、ＨＴＭＬ番組Ｐ１、Ｐ２、Ｐ３、Ｐ４は、この順序で、提供日時Ｔ１−１、・・・、Ｔ４−１の開始時刻に、ユーザへの提供が開始される。そして、ＨＴＭＬ番組Ｐ１において、ＨＴＭＬコンテンツＨ１−１、Ｈ１−２、Ｈ１−３は、この順序で、提供日時Ｔ１−１、Ｔ１−２、Ｔ１−３に、ユーザへの提供が行なわれる。そして、ＨＴＭＬ番組Ｐ４において、ＨＴＭＬコンテンツＨ４−１、Ｈ４−２、Ｈ４−３は、この順序で、提供日時Ｔ４−１、Ｔ４−２、Ｔ４−３に、ユーザへの提供が行なわれる。
【００２８】
ここで、編集されたＨＴＭＬ番組Ｐを、所定の時刻に一斉に複数のユーザ端末に提供する。よって、共通のＨＴＭＬコンテンツＨを同じ時間帯でユーザ同士で共有させることができる。
【００２９】
本発明のコンテンツ番組の提供装置及び提供方法を図２及び図３に示す。図２及び図３では、共通要素として、コンテンツ番組提供装置２は、クローラ起動部２１、クロールアプリ２２−１〜２２−４及び番組サーバ２３から構成される。
【００３０】
クローラ起動部２１は、ＨＴＭＬ番組Ｐの運用者の要求に応じて、適切なクロールアプリ２２を呼び出す。クロールアプリ２２−１〜２２−４は、ＨＴＭＬコンテンツＨを、ウェブサーバ１−１〜１−４から取得し、上記のコンテンツ取得部に対応する。クロールアプリ２２−１〜２２−４は、取得されたＨＴＭＬコンテンツＨを、ＨＴＭＬ番組Ｐに編集し、上記のコンテンツ編集部に対応する。番組サーバ２３は、編集されたＨＴＭＬ番組Ｐをユーザ端末に提供し、上記の番組提供部に対応する。
【００３１】
図２では、ユーザ側において、ＷｅｂＣＨアプリ３を構成要素としている。ＷｅｂＣＨアプリ３は、ユーザ端末のユーザの要求に応じて、クエリを番組サーバ２３に送信する。または、ＷｅｂＣＨアプリ３は、ユーザ端末のユーザの要求に応じて、後述のユーザ設定情報を含むクエリを、番組サーバ２３に送信してもよい。番組サーバ２３は、ＨＴＭＬ番組ＰをＷｅｂＣＨアプリ３に送信する。または、番組サーバ２３は、後述のユーザ設定情報に基づくＨＴＭＬ番組Ｐを、ＷｅｂＣＨアプリ３に送信してもよい。
【００３２】
図３では、ユーザ側において、ＷｅｂＣＨアプリ３及びＥＡＢサーバ４を構成要素としている。ＥＡＢサーバ４は、ユーザ側の処理の一部を分散するため、ネットワークに分散配置されたサーバである（非特許文献３を参照）。ＷｅｂＣＨアプリ３は、ユーザ端末のユーザの要求に応じて、クエリをＥＡＢサーバ４に送信する。または、ＷｅｂＣＨアプリ３は、ユーザ端末のユーザの要求に応じて、後述のユーザ設定情報を含むクエリを、ＥＡＢサーバ４に送信してもよい。ＥＡＢサーバ４は、クエリ又は後述のユーザ設定情報を含むクエリを、番組サーバ２３に送信する。番組サーバ２３は、ＨＴＭＬ番組ＰをＥＡＢサーバ４に送信する。または、番組サーバ２３は、後述のユーザ設定情報に基づくＨＴＭＬ番組Ｐを、ＥＡＢサーバ４に送信してもよい。ＥＡＢサーバ４は、自装置で加工したＨＴＭＬ番組Ｐを、ＷｅｂＣＨアプリ３が含むＥＡＢビューア３１に送信する。
【００３３】
本発明のコンテンツ番組の提供装置及び編集方法を図４に示す。図４では、図２及び図３に加えて、シナリオ情報サーバ５、編成情報サーバ６及び編成コンバータ７を構成要素としている。シナリオ情報サーバ５、編成情報サーバ６及び編成コンバータ７は、図４のように分散配置されてもよく、図４と異なり集中配置されてもよく、コンテンツ番組提供装置２の内部やユーザ端末の内部に配置されてもよい。
【００３４】
ＨＴＭＬ番組Ｐの各スライド（ＨＴＭＬコンテンツＨ）の提供時間及び提供順序は、後述の要素データファイルにおいて設定される。ＨＴＭＬ番組Ｐの提供時刻は、後述の編成データファイルにおいて設定される。ＨＴＭＬ番組Ｐの各スライド（ＨＴＭＬコンテンツＨ）は、後述の編成データファイル及び後述の要素データファイルに基づいて、設定された提供時刻に設定された提供順序で、ユーザ端末に提供される。最初に、後述の要素データファイルの作成方法について説明する。次に、後述の編成データファイルの作成方法について説明する。最後に、コンテンツ番組の提供方法について説明する。
【００３５】
本発明の要素データファイルの作成方法を示すタイムチャートを図５に示す。運用者Ｓは、シナリオ情報サーバ５において、シナリオ情報を作成する（ステップＳ１）。運用者Ｓは、クローラ起動部２１において、クロール設定を行なう。
【００３６】
本発明のシナリオ情報の内容を図６に示す。シナリオ情報ＳＩは、ＷｅｂＣＨ  ＩＤ、番組名、番組長、各記事の表示時間、ＢＧＭ情報のパス、アクセスタイプ（ｐｕｂｌｉｃ／ｌｏｃａｌ／ｐｒｉｖａｔｅ）、記事間アニメーション及びコンテンツ取得先を含む。
【００３７】
番組長及び各記事の表示時間に基づいて、記事数が設定される。ＢＧＭ情報のパスは、ＢＧＭの音声ファイルの格納場所を表わす。アクセスタイプは、番組の種別を表わす。ｐｕｂｌｉｃは、ユーザに共通の番組を表わす。ｌｏｃａｌは、地域別の番組を表わすとともに、後述の個別情報サーバにおける番組データの格納場所を表わす。ｐｒｉｖａｔｅは、ユーザ別の番組を表わすとともに、後述の個別情報サーバにおける番組データの格納場所を表わす。記事間アニメーションは、次の記事への切替方法を表わす。
【００３８】
本発明のクロール設定の内容を図７に示す。クロール設定ＣＳは、起動時刻、実行間隔、ウェブサーバ毎のコンテンツ取得プログラム、番組毎のシナリオ情報のパス、並びに、ウェブサーバ毎の及び番組毎の共通設定情報のパスを含む。
【００３９】
番組毎のシナリオ情報のパスは、シナリオ情報サーバ５における、番組毎のシナリオ情報の格納場所を表わす。ウェブサーバ毎の及び番組毎の共通設定情報のパスは、ウェブサーバ毎の及び番組毎の共通設定情報の格納場所を表わす。
【００４０】
運用者Ｓは、クローラ起動部２１に対して、クローラ起動を行なう（ステップＳ２）。クローラ起動部２１は、シナリオ情報ＳＩ及びクロール設定ＣＳに基づいて、適切なクロールアプリ２２に対して、クローラ呼び出しを行なう（ステップＳ３）。適切なクロールアプリ２２は、適切なウェブサーバ１に対して、クロールを実行する（ステップＳ４）。
【００４１】
適切なクロールアプリ２２は、適切なウェブサーバ１から、画像データ、タイトル、概要及び対応ＵＲＬ情報を取得する（ステップＳ５）。クローラ起動部２１は、適切なクロールアプリ２２について、クロール結果を解析する（ステップＳ６）。クローラ起動部２１は、適切なクロールアプリ２２に対して、クロール結果を通知する（ステップＳ７）。なお、適切なクロールアプリ２２は、適切なウェブサーバ１へのアクセスを軽減するために、取得した個々の画像データ等をキャッシュ保存しておくことにより、次回クロールを実行するときに、キャッシュ保存している個々の画像データ等を再取得しないようにすることもできる。
【００４２】
クローラ起動部２１は、適切なクロールアプリ２２に対して、画像データ、タイトル、概要、対応ＵＲＬ情報及びクロール結果を含む要素データファイルを、番組サーバ２３に書き出すように指示する（ステップＳ８）。適切なクロールアプリ２２は、番組サーバ２３に対して、画像データ、タイトル、概要、対応ＵＲＬ情報及びクロール結果を含む要素データファイルを書き出す（ステップＳ９）。
【００４３】
本発明の要素データファイルの内容を図８に示す。要素データファイルＥＤは、画像データとして、オリジナル画像及びサムネイル画像を含む。要素データファイルＥＤは、ＪＳＯＮファイルとして、ＷｅｂＣＨ  ＩＤ、番組名、番組長、各記事の表示時間、ＢＧＭ情報のパス、アクセスタイプ（ｐｕｂｌｉｃ／ｌｏｃａｌ／ｐｒｉｖａｔｅ）、記事間アニメーション、各記事のＩＤ、各記事のタイトル、各記事の本文、各記事の更新日時、後述の各クリップ情報のタイトル、後述の各クリップ情報のＵＲＬ、各オリジナル画像のファイル名及び各サムネイル画像のファイル名を含む。
【００４４】
オリジナル画像は、後述のチャンネル画面に表示される。サムネイル画像は、後述のリスト画面に表示される。各記事のＩＤは、各記事の表示順を表わす。ＪＳＯＮファイルは、シナリオ情報ＳＩ及びクロール結果に基づいて作成される。
【００４５】
以上、ＨＴＭＬ番組Ｐの各スライド（ＨＴＭＬコンテンツＨ）の提供時間及び提供順序は、要素データファイルＥＤにおいて設定される。
【００４６】
本発明の編成データファイルの作成方法を示すタイムチャートを図９に示す。運用者Ｓは、編成情報サーバ６において、編成情報を作成する（ステップＳ６）。
【００４７】
本発明の編成情報の内容を図１０に示す。編成情報ＰＩは、各番組の表示順、各番組のＷｅｂＣＨ  ＩＤ、各番組の表示開始時刻、番組間アニメーション、各番組のオープニングメッセージ、各番組のオープニング画像のパス、各番組のオープニングの時間を含む。
【００４８】
番組間アニメーションは、次の番組への切替方法を表わす。各番組のオープニング画像のパスは、各番組のオープニング画像の格納場所を表わす。
【００４９】
運用者Ｓは、編成コンバータ７に対して、実行命令を行なう（ステップＳ１１）。編成コンバータ７は、編成情報ＰＩ及び要素データファイルＥＤに基づいて、番組サーバ２３に対して、編成データファイルを書き出す（ステップＳ１２）。
【００５０】
本発明の編成データファイルの内容を図１１に示す。編成データファイルＰＤは、各番組のＷｅｂＣＨ  ＩＤ、各番組の要素データファイルのパス、各番組の表示開始時刻、番組間アニメーション、各番組のオープニングメッセージ、各番組のオープニング画像のパス、各番組のアクセスタイプ（ｐｕｂｌｉｃ／ｌｏｃａｌ／ｐｒｉｖａｔｅ）を含む。
【００５１】
各番組の要素データファイルのパスは、番組サーバ２３における、各番組の要素データファイルの格納場所を表わす。編成データファイルＰＤは、編成情報ＰＩのファイル形式を変換して、要素データファイルＥＤを参照して、作成される。
【００５２】
以上、ＨＴＭＬ番組Ｐの提供時刻は、編成データファイルＰＤにおいて設定される。
【００５３】
本発明のコンテンツ番組の提供方法を示すタイムチャートを図１２に示す。ユーザＵは、ＷｅｂＣＨアプリ３に対して、ＷｅｂＣＨ起動を実行する（ステップＳ１３）。ＷｅｂＣＨアプリ３は、番組サーバ２３に対して、ユーザ設定情報を含むクエリを送信し、ＷｅｂＣＨページ８を取得する（ステップＳ１４）。ＷｅｂＣＨページ８は、ＷｅｂＣＨアプリ３に対して、例えば１分毎に、現在時刻を通知する（ステップＳ１５）。ステップＳ１５は、繰り返される。ここで、ＷｅｂＣＨページ８は、編成データ・要素データ・画像ファイル取得部及び画面レイアウト制御部から構成される。まず、編成データ・要素データ・画像ファイル取得部は、必要に応じて定期的に、又は、編成データファイルＰＤの不足時に、編成データファイルＰＤを取得する。次に、編成データ・要素データ・画像ファイル取得部は、編成データファイルＰＤに設定された時間に基づいて、要素データファイルＥＤ及び画像ファイル等を取得する。次に、画面レイアウト制御部は、画面レイアウトを生成する。
【００５４】
ＷｅｂＣＨページ８は、各番組毎に、番組サーバ２３に対して、編成データファイルＰＤを要求し（ステップＳ１６）、番組サーバ２３から、編成データファイルＰＤを取得する（ステップＳ１７）。ステップＳ１６、Ｓ１７は、各番組毎に繰り返される。
【００５５】
ＷｅｂＣＨページ８は、各記事毎に、番組サーバ２３に対して、要素データファイルＥＤを要求し（ステップＳ１８）、番組サーバ２３から、要素データファイルＥＤを取得し（ステップＳ１９）、ＷｅｂＣＨアプリ３に対して、ユーザ共通の番組を提供する（ステップＳ２０）。ステップＳ１８〜Ｓ２０は、各記事毎に繰り返される。
【００５６】
具体的には、ＷｅｂＣＨページ８は、編成データファイルＰＤのうち、各番組の表示時刻、各番組の要素データファイルＥＤのパス及びアクセスタイプ（ｐｕｂｌｉｃ）を参照して、現在時刻に見合う番組の要素データファイルＥＤを、番組サーバ２３から取得する（ステップＳ１９）。そして、ＷｅｂＣＨページ８は、要素データファイルＥＤのうち、各記事のＩＤ（表示順）、各記事の表示時間及び各画像のファイル名を参照して、現在時刻に見合う記事の画像を、ＷｅｂＣＨアプリ３に提供する（ステップＳ２０）。
【００５７】
ＷｅｂＣＨページ８は、例えば１時間毎の天気予報のたびに、個別情報サーバ９に対して、個別情報を要求し（ステップＳ２１）、個別情報サーバ９から、個別情報を取得し（ステップＳ２２）、ＷｅｂＣＨアプリ３に対して、ユーザ個別の情報を提供する（ステップＳ２３）。ステップＳ２１〜Ｓ２３は、繰り返される。
【００５８】
具体的には、ＷｅｂＣＨページ８は、編成データファイルＰＤのうち、アクセスタイプ（ｌｏｃａｌ／ｐｒｉｖａｔｅ）を参照して、ステップＳ１４のユーザ設定情報に見合うユーザ個別の情報を、個別情報サーバ９から取得し（ステップＳ２２）、ＷｅｂＣＨアプリ３に提供する（ステップＳ２３）。ｌｏｃａｌは、地域別の番組を表わすとともに、個別情報サーバ９における番組データの格納場所を表わす。ｐｒｉｖａｔｅは、ユーザ別の番組を表わすとともに、個別情報サーバ９における番組データの格納場所を表わす。
【００５９】
図５から図１２までで説明したように、ＨＴＭＬ番組Ｐの各スライド（ＨＴＭＬコンテンツＨ）は、編成データファイルＰＤ及び要素データファイルＥＤに基づいて、設定された提供時刻に設定された提供順序で、ユーザ端末に提供される。
【００６０】
なお、クエリの送信及び番組の視聴は、図２に示したように、全体をユーザ端末の機能として、実現してもよく、図３に示したように、一部をユーザ端末の機能として、残りをＥＡＢサーバ４の機能として、実現してもよい。
【００６１】
本発明のチャンネル画面を図１３に示す。チャンネル画面Ｃは、現在時刻表示Ｃ１、天気予報表示Ｃ２、チャンネルボタンＣ３、インターネットボタンＣ４、クリップボタンＣ５、リストボタンＣ６、スライド表示Ｃ７及び番組表表示Ｃ８から構成される。
【００６２】
現在時刻表示Ｃ１は、ステップＳ１５の現在時刻を表示する。天気予報表示Ｃ２は、ステップＳ２３の天気予報を表示する。チャンネルボタンＣ３は、チャンネルを変更するためのボタンである。インターネットボタンＣ４は、後述のインターネット画面へ遷移するためのボタンである。クリップボタンＣ５は、ユーザがある番組の各スライドに興味を持ったときに、ユーザがその番組の各スライドにブックマークを設定するためのボタンである。リストボタンＣ６は、後述のリスト画面へ遷移するためのボタンである。スライド表示Ｃ７は、要素データファイルＥＤのオリジナル画像を表示する。番組表表示Ｃ８は、編成データファイルＰＤの各番組の表示開始時刻を表示する。
【００６３】
本発明のインターネット画面への遷移を図１４に示す。上段のチャンネル画面Ｃは、図１３のチャンネル画面Ｃと同様である。インターネット画面Ｎは、現在時刻表示Ｎ１、天気予報表示Ｎ２、チャンネルボタンＮ３、クリップボタンＮ４、リストボタンＮ５、コンテンツ表示Ｎ６及び番組表表示Ｎ７から構成される。
【００６４】
図１４では、ユーザ端末への要求の入力に応じて、提供されたＨＴＭＬ番組Ｐの各スライドに紐付けられた各ＨＴＭＬコンテンツＨの位置情報（例えば、ＵＲＬ）を利用して、各ＨＴＭＬコンテンツＨをウェブサーバ１から取得する。ここでは、要素データファイルＥＤの各クリップ情報のＵＲＬを利用している。
【００６５】
チャンネル画面Ｃにおいて、インターネットボタンＣ４を押下したとき、インターネット画面Ｎへ遷移する。コンテンツ表示Ｎ６は、ウェブブラウザ１から取得されたコンテンツを表示する。これにより、通常のウェブブラウザ（非特許文献２を参照）の機能を利用することができる。チャンネルボタンＮ３は、チャンネル画面Ｃへ遷移するためのボタンである。現在時刻表示Ｎ１、天気予報表示Ｎ２、クリップボタンＮ４、リストボタンＮ５及び番組表表示Ｎ７は、現在時刻表示Ｃ１、天気予報表示Ｃ２、クリップボタンＣ５、リストボタンＣ６及び番組表表示Ｃ８と同様である。
【００６６】
このように、ユーザや関係者は、あるＨＴＭＬ番組Ｐの各スライドに興味を持ったならば、そのＨＴＭＬ番組Ｐの各スライドに紐付けられているＨＴＭＬコンテンツＨの位置情報（例えば、ＵＲＬ）を用いて、受動的にそのＨＴＭＬ番組Ｐの各スライドを流し見するだけでなく、能動的にそのＨＴＭＬコンテンツＨにアクセスするきっかけを得ることができる。
【００６７】
なお、ウェブサーバへのアクセスは、図２に示したように、全体をユーザ端末の機能として、実現してもよく、図３に示したように、一部をユーザ端末の機能として、残りをＥＡＢサーバ４の機能として、実現してもよい。
【００６８】
本発明のリスト画面への遷移を図１５に示す。上段のチャンネル画面Ｃは、図１３のチャンネル画面Ｃと同様である。下段のインターネット画面Ｎは、図１４のインターネット画面Ｎと同様である。リスト画面Ｌは、現在時刻表示Ｌ１、天気予報表示Ｌ２、チャンネルボタンＬ３、インターネットボタンＬ４、サムネイル表示Ｌ５、Ｌ６から構成される。
【００６９】
図１５では、ユーザ端末への要求の入力に応じて、提供されたＨＴＭＬ番組Ｐの各スライドに紐付けられた各ＨＴＭＬコンテンツＨの位置情報（例えば、ＵＲＬ）を保存した後に、ユーザ端末への要求の入力に応じて、保存した各ＨＴＭＬコンテンツＨの位置情報を利用して、各ＨＴＭＬコンテンツＨをウェブサーバ１から取得する。ここでは、要素データファイルＥＤの各クリップ情報のＵＲＬを利用している。
【００７０】
チャンネル画面Ｃにおいて、クリップボタンＣ５及びリストボタンＣ６を押下したとき、リスト画面Ｌへ遷移する。サムネイル表示Ｌ５、Ｌ６は、要素データファイルＥＤのサムネイル画像を表示する。これにより、ユーザが興味を持ったＨＴＭＬコンテンツＨのＵＲＬを、ユーザ端末内に又はインターネット上のサーバ内に保存することができる。リスト画面Ｌにおいて、サムネイル表示Ｌ５を選択したうえで、インターネットボタンＬ４を押下したとき、インターネット画面Ｎへ遷移する。これにより、通常のウェブブラウザ（非特許文献２を参照）の機能を利用することができる。チャンネルボタンＬ３は、チャンネル画面Ｃへ遷移するためのボタンである。現在時刻表示Ｌ１及び天気予報表示Ｌ２は、現在時刻表示Ｃ１及び天気予報表示Ｃ２と同様である。
【００７１】
このように、ユーザや関係者は、あるＨＴＭＬ番組Ｐの各スライドに興味を持ったならば、そのＨＴＭＬ番組Ｐの各スライドに紐付けられているＨＴＭＬコンテンツＨの位置情報（例えば、ＵＲＬ）を保存して、保存したそのＨＴＭＬコンテンツＨの位置情報を用いて、受動的にそのＨＴＭＬ番組Ｐの各スライドを流し見するだけでなく、能動的に繰り返しそのＨＴＭＬコンテンツＨにアクセスするきっかけを得ることができる。
【００７２】
なお、ウェブサーバへのアクセス及びＵＲＬの保存は、図２に示したように、全体をユーザ端末の機能として、実現してもよく、図３に示したように、一部をユーザ端末の機能として、残りをＥＡＢサーバ４の機能として、実現してもよい。
【００７３】
本発明の番組表の詳細表示を図１６に示す。図１３の番組表表示Ｃ８と比較して、図１６の番組表詳細表示Ｃ８’は、番組表をより詳細に表示している。
【００７４】
本発明の天気予報の詳細表示を図１７に示す。図１３の天気予報表示Ｃ２と比較して、図１６の天気予報詳細表示Ｃ２’は、天気予報をより詳細に表示している。
【００７５】
本発明のスライドの変更表示を図１８に示す。図１３のスライド表示Ｃ７と比較して、図１６のスライド変更表示Ｃ７’は、各スライドをより大きく表示している。
【００７６】
図１６から図１８では、インターネットテレビのリモコンやタブレット携帯端末のタッチパネルを操作することにより、表示形式をカスタマイズすることができる。
【００７７】
例えば、番組表や天気予報やスライドが最大の大きさの場合には、要素データファイルＥＤの各記事のタイトルや本文は、スクロール表示させる。そして、番組表や天気予報やスライドが最小の大きさの場合には、要素データファイルＥＤの各記事のタイトルや本文は、全て固定表示させる。なお、番組表や天気予報やスライドが中間の大きさの場合には、要素データファイルＥＤの各記事のタイトルや本文は、出来る限り固定表示させる。また、要素データファイルＥＤの各記事のタイトルや本文は、音声表示させてもよい。
【００７８】
例えば、ＨＴＭＬベースで本発明を実施するにあたり、ＣＳＳを切り替えることにより、又は、ＣＳＳの数値部分を可変にすることにより、表示形式のレイアウトを変更してもよい。そして、ＨＴＭＬベースで本発明を実施するにあたり、ＪａｖａＳｃｒｉｐｔ（登録商標）でＤＯＭ要素を追加することにより、表示形式を音声表示に変更してもよい。
【００７９】
本発明は、以下のようなサービスに適用することができる。
【００８０】
第１に、インターネットの公開情報を、番組として編集し、ユーザに視聴させる。
【００８１】
第２に、電子書籍の情報を、番組として編集し、ユーザに視聴させる。
【００８２】
第３に、電子広告の情報を、番組として編集し、ユーザに視聴させる。
【００８３】
第４に、写真保管サービスの写真情報を、番組として編集し、ユーザに視聴させる。
【００８４】
第５に、自治体の地域情報を、番組として編集し、ユーザに視聴させる。ユーザは、自分の居住地域をユーザ端末内に又はインターネット上のサーバ内に事前に登録することにより、自分の居住地域の地域情報のみ視聴することができる。
【００８５】
第６に、ＳＮＳ上のユーザ情報を、番組として編集し、ユーザに視聴させる。ユーザは、自分のアカウントをユーザ端末内に又はインターネット上のサーバ内に事前に登録することにより、自分のアカウントのＳＮＳ情報のみ視聴することができる。
【００８６】
第７に、ユーザは、自分の属性や希望の情報をユーザ端末内に又はインターネット上のサーバ内に事前に登録することにより、インターネットの公開情報（第１）、電子書籍の情報（第２）、電子広告の情報（第３）、写真保管サービスの写真情報（第４）のうち、自分の属性や希望の情報に基づいて選定された情報のみ視聴することができる。
【産業上の利用可能性】
【００８７】
本発明のコンテンツ番組提供方法及びコンテンツ番組提供装置は、ユーザの煩雑な操作や高度な知識を必要とせず、ウェブコンテンツをユーザに提供するとともに、共通のウェブコンテンツを同じ時間帯でユーザ同士で共有させる、インターネットテレビに適用可能である。
【符号の説明】
【００８８】
１：ウェブサーバ
２：コンテンツ番組提供装置
３：ＷｅｂＣＨアプリ
４：ＥＡＢサーバ
５：シナリオ情報サーバ
６：編成情報サーバ
７：編成コンバータ
８：ＷｅｂＣＨページ
９：個別情報サーバ
２１：クローラ起動部
２２：クロールアプリ
２３：番組サーバ
３１：ＥＡＢビューア
Ｐ：ＨＴＭＬ番組
Ｈ：ＨＴＭＬコンテンツ
Ｔ：提供日時
Ｓ：運用者
Ｕ：ユーザ
ＳＩ：シナリオ情報
ＣＳ：クロール設定
ＥＤ：要素データファイル
ＰＩ：編成情報
ＰＤ：編成データファイル
Ｃ：チャンネル画面
Ｃ１：現在時刻表示
Ｃ２：天気予報表示
Ｃ２’：天気予報詳細表示
Ｃ３：チャンネルボタン
Ｃ４：インターネットボタン
Ｃ５：クリップボタン
Ｃ６：リストボタン
Ｃ７：スライド表示
Ｃ７’：スライド変更表示
Ｃ８：番組表表示
Ｃ８’：番組表詳細表示
Ｎ：インターネット画面
Ｎ１：現在時刻表示
Ｎ２：天気予報表示
Ｎ３：チャンネルボタン
Ｎ４：クリップボタン
Ｎ５：リストボタン
Ｎ６：コンテンツ表示
Ｎ７：番組表表示
Ｌ：リスト画面
Ｌ１：現在時刻表示
Ｌ２：天気予報表示
Ｌ３：チャンネルボタン
Ｌ４：インターネットボタン
Ｌ５、Ｌ６：サムネイル表示
【図１】
0006031423.tif 000002
【図２】
0006031423.tif 000003
【図３】
0006031423.tif 000004
【図４】
0006031423.tif 000005
【図５】
0006031423.tif 000006
【図６】
0006031423.tif 000007
【図７】
0006031423.tif 000008
【図８】
0006031423.tif 000009
【図９】
0006031423.tif 000010
【図１０】
0006031423.tif 000011
【図１１】
0006031423.tif 000012
【図１２】
0006031423.tif 000013
【図１３】
0006031423.tif 000014
【図１４】
0006031423.tif 000015
【図１５】
0006031423.tif 000016
【図１６】
0006031423.tif 000017
【図１７】
0006031423.tif 000018
【図１８】
0006031423.tif 000019